(57)【要約】【課題】使用者による開閉動作に起因する衝撃からハードディスクを保護すること。【解決手段】ＣＰＵ１０４は、開状態検出スイッチ１０２、および閉状態検出スイッチ１０３からの入力信号に基づいて使用者による開閉機構の開閉動作を検出し、開動作および閉動作の少なくともいずれか一方に伴う衝撃の発生を予測する。そして、その予測結果に基づいて、ＨＤＤ１０５へのアクセスを禁止する。【選択図】図２
2007181188.tif 000002
【特許請求の範囲】
【請求項１】
第１の本体部と、
第２の本体部と、
前記第１の本体部および前記第２の本体部を開閉するための開閉機構と、
ヘッドを用いてディスクにデータを書き込むことによりデータを記憶するハードディスクドライブと、
前記開閉機構の開閉動作を検出して、開動作および閉動作の少なくともいずれか一方に伴う衝撃の発生を予測する予測手段と、
前記予測手段が前記衝撃の発生を予測することに基づいて、前記ハードディスクドライブの前記ヘッドを、前記ディスクと前記ヘッドが破損することがない安全な位置に退避させる制御手段とを備えることを特徴とする携帯通信端末。
【請求項２】
請求項１に記載の携帯通信端末において、
前記予測手段は、前記開閉機構が閉じている状態から所定量開いたことを検出したときに、前記開閉機構の開動作を検出することを特徴とする携帯通信端末。
【請求項３】
請求項１に記載の携帯通信端末において、
前記予測手段は、前記開閉機構が開いている状態から所定量閉じたことを検出したときに、前記開閉機構の閉動作を検出することを特徴とする携帯通信端末。
【請求項４】
請求項１に記載の携帯通信端末において、
前記開閉機構は、前記第１の本体部と前記第２の本体部とをスライドして開閉する機構、回転して開閉する機構、および揺動して開閉する機構のいずれかであることを特徴とする携帯通信端末。
【請求項５】
請求項１に記載の携帯通信端末において、
前記開閉機構の開状態または閉状態を検出する状態検出手段をさらに備え、
前記状態検出手段により前記開閉機構の開状態または閉状態が検出された場合に、前記制御手段は、前記ハードディスクドライブの前記ヘッドを、前記ディスクへの書き込みが可能な位置に配置することを特徴とする携帯通信端末。
【請求項６】
請求項１に記載の携帯通信端末において、
前記開閉機構の開状態または閉状態を検出する状態検出手段をさらに備え、
前記状態検出手段により前記開閉機構の開状態または閉状態が検出された場合に、前記制御手段は、前記ハードディスクドライブの前記ヘッドを、前記ディスクからの読み出しが可能な位置に配置することを特徴とする携帯通信端末。
【請求項７】
請求項１に記載の携帯通信端末において、
前記開閉機構の開状態または閉状態を検出する状態検出手段をさらに備え、
前記ヘッドが前記安全な位置に退避している場合において、前記状態検出手段により前記開閉機構の開状態または閉状態が検出された場合には、前記制御手段は、前記ハードディスクドライブの前記ヘッドを、前記ディスクへの書き込みが可能な位置に移動することを特徴とする携帯通信端末。
【請求項８】
請求項１に記載の携帯通信端末において、
前記予測手段は、前記開閉機構の開閉動作を検出するための検出手段を含むことを特徴とする携帯通信端末。
【請求項９】
請求項８に記載の携帯通信端末において、
前記検出手段は、加速度センサを含むことを特徴とする携帯通信端末。
【請求項１０】
請求項４に記載の携帯通信端末において、
前記予測手段は、加速度センサを含み、
前記加速度センサは、
前記開閉機構が前記第１の本体部と前記第２の本体部とを回転して開閉する機構である場合は、前記開閉機構の回転中心と反対側の前記第1の本体部の端部または前記開閉機構の回転中心と反対側の前記第２の本体部の端部との少なくとも一方に配置され、
前記開閉機構が前記第１の本体部と前記第２の本体部とを揺動して開閉する機構である場合は、前記開閉機構の揺動中心と反対側の前記第1の本体部の端部または前記開閉機構の揺動中心と反対側の前記第２の本体部の端部との少なくとも一方に配置されることを特徴とする携帯通信端末。
【請求項１１】
請求項１に記載の携帯通信端末において、
前記予測手段が前記衝撃の発生を予測することに基づいて、前記データの記憶先を無線通信手段を介して接続する外部記憶手段に切り替える切替手段をさらに備えることを特徴とする携帯通信端末。
【請求項１２】
請求項１〜１１に記載の携帯通信端末において、
画像を撮像する撮像手段をさらに備え、
前記ハードディスクドライブは、前記撮像手段で撮像した画像データを記憶することを特徴とする携帯通信端末。
【発明の詳細な説明】
【技術分野】
【０００１】
本発明は、ハードディスクドライブを搭載した携帯通信端末に関する。
【背景技術】
【０００２】
次のような通信装置が特許文献１によって知られている。この通信装置では、バイブレータ動作とハードディスクドライブへの記録再生動作とを排他的に動作させるために、バイブレータが動作している間は、ハードディスクドライブのヘッドを所定の退避位置に退避させることによって、振動によるハードディスクドライブの故障を防止している。
【０００３】
【特許文献１】特開２００３−１７９６７１号公報
【発明の開示】
【発明が解決しようとする課題】
【０００４】
しかしながら、従来の通信装置においては、バイブレータの動作を開始する前にハードディスクドライブのヘッドを所定の退避位置に退避させるものであるため、発明者はハードディスクドライブの破損を招来する種々の要因を鋭意検討した。その結果、折り畳み型携帯電話に代表される開閉機構を有する携帯通信端末においては、使用者による開閉動作に伴って発生する衝撃からのハードディスクドライブの保護が十分ではないことを見出した。
【課題を解決するための手段】
【０００５】
請求項１に記載の携帯通信端末は、第１の本体部と、第２の本体部と、第１の本体部および第２の本体部を開閉するための開閉機構と、ヘッドを用いてディスクにデータを書き込むことによりデータを記憶するハードディスクドライブと、開閉機構の開閉動作を検出して、開動作および閉動作の少なくともいずれか一方に伴う衝撃の発生を予測する予測手段と、予測手段が衝撃の発生を予測することに基づいて、ハードディスクドライブのヘッドを、ディスクとヘッドが破損することがない安全な位置に退避させる制御手段とを備えることを特徴とする。
請求項２に記載の携帯通信端末は、請求項１に記載の携帯通信端末において、予測手段は、開閉機構が閉じている状態から所定量開いたことを検出したときに、開閉機構の開動作を検出することを特徴とする。
請求項３に記載の携帯通信端末は、請求項１に記載の携帯通信端末において、予測手段は、開閉機構が開いている状態から所定量閉じたことを検出したときに、開閉機構の閉動作を検出することを特徴とする。
請求項４に記載の携帯通信端末は、請求項１に記載の携帯通信端末において、開閉機構は、第１の本体部と第２の本体部とをスライドして開閉する機構、回転して開閉する機構、および揺動して開閉する機構のいずれかであることを特徴とする。
請求項５に記載の携帯通信端末は、請求項１に記載の携帯通信端末において、開閉機構の開状態または閉状態を検出する状態検出手段をさらに備え、状態検出手段により開閉機構の開状態または閉状態が検出された場合に、制御手段は、ハードディスクドライブのヘッドを、ディスクへの書き込みが可能な位置に配置することを特徴とする。
請求項６に記載の携帯通信端末は、請求項１に記載の携帯通信端末において、開閉機構の開状態または閉状態を検出する状態検出手段をさらに備え、状態検出手段により開閉機構の開状態または閉状態が検出された場合に、制御手段は、ハードディスクドライブのヘッドを、ディスクからの読み出しが可能な位置に配置することを特徴とする。
請求項７に記載の携帯通信端末は、請求項１に記載の携帯通信端末において、開閉機構の開状態または閉状態を検出する状態検出手段をさらに備え、ヘッドが安全な位置に退避している場合において、状態検出手段により開閉機構の開状態または閉状態が検出された場合には、制御手段は、ハードディスクドライブのヘッドを、ディスクへの書き込みが可能な位置に移動することを特徴とする。
請求項８に記載の携帯通信端末は、請求項１に記載の携帯通信端末において、予測手段は、開閉機構の開閉動作を検出するための検出手段を含むことを特徴とする。
請求項９に記載の携帯通信端末は、請求項８に記載の携帯通信端末において、検出手段は、加速度センサを含むことを特徴とする。
請求項１０に記載の携帯通信端末は、請求項４に記載の携帯通信端末において、予測手段は加速度センサを含み、加速度センサは、開閉機構が第１の本体部と第２の本体部とを回転して開閉する機構である場合は、開閉機構の回転中心と反対側の第1の本体部の端部または開閉機構の回転中心と反対側の第２の本体部の端部との少なくとも一方に配置され、開閉機構が第１の本体部と第２の本体部とを揺動して開閉する機構である場合は、開閉機構の揺動中心と反対側の前記第1の本体部の端部または開閉機構の揺動中心と反対側の第２の本体部の端部との少なくとも一方に配置されることを特徴とする。
請求項１１に記載の携帯通信端末は、請求項１に記載の携帯通信端末において、予測手段が衝撃の発生を予測することに基づいて、データの記憶先を無線通信手段を介して接続する外部記憶手段に切り替える切替手段をさらに備えることを特徴とする。
請求項１２に記載の携帯通信端末は、請求項１〜１１に記載の携帯通信端末において、画像を撮像する撮像手段をさらに備え、ハードディスクドライブは、撮像手段で撮像した画像データを記憶することを特徴とする。
【発明の効果】
【０００６】
本発明によれば、開閉機構を備える携帯通信端末において、使用者による開閉機構の開動作および閉動作に伴う衝撃からハードディスクドライブを保護することができる。
【発明を実施するための最良の形態】
【０００７】
図1は、本実施の形態における携帯通信端末を携帯電話に適用した場合の構成を模式的に示した図である。携帯電話１００は、キーボード側本体１ａ（第１の本体部）とＬＣＤ側本体１ｂ（第２の本体部）との間に開閉機構として回転ヒンジ部１ｃを備えている。すなわち、携帯電話１００は、回転ヒンジ部１ｃを軸として折り畳み可能な折り畳み型携帯電話である。
【０００８】
この携帯電話１００は、ＬＣＤ側本体１ｂのＬＣＤ面の裏側にカメラモジュール（カメラ）を搭載している。また、キーボード側本体１ａまたはＬＣＤ側本体１ｂの内部に、ヘッドを用いてディスクにデータを書き込むことによりデータを記憶するハードディスクドライブ（ＨＤＤ）を内蔵しており、カメラによって撮像された画像データや、その他種々のデータを当該ハードディスクドライブに記憶することができる。ＨＤＤは、不図示の磁気ヘッドとディスクを有している。ディスクには磁性体が塗布されている。ＨＤＤの磁気ヘッドは電磁誘導によりディスクにデータを書き込むことができる。また、磁気ヘッドはディスクに書き込まれたデータを読み取ることができる。
【０００９】
このような開閉機構（折り畳み機構）を備える携帯電話１００においては、使用者によって開閉動作が行われる度に、開閉動作に伴う衝撃音と衝撃（振動）が発生する。本実施の形態における携帯電話１００は、上述したようにハードディスクドライブを内蔵しており、ハードディスクドライブは、衝撃によりヘッドとディスクが破損する可能性がある。特に、データの読み込みまたは書き込み時、すなわちハードディスクドライブのヘッドがディスクにアクセスする時に衝撃が発生すると故障する可能性が高くなる。このため、開閉動作に伴う衝撃によるハードディスクドライブの故障を防止する必要がある。
【００１０】
携帯電話１００では、キーボード側本体１ａに凸部Ｂを設け、ＬＣＤ側本体１ｂにゴムなどの弾性体でできた凸部Ｂと嵌合する凹部Ａを設けることによって、開閉動作に伴う衝撃音を低減していた。しかしながら、このような凸部Ｂと凹部Ａとを設けることは、開閉動作に伴う衝撃音を低減するためには有効であるが、開閉動作に伴う衝撃は十分に低減することができない。
【００１１】
そのため、本実施の形態における携帯電話１００においては、使用者による携帯電話１００の開閉動作が行われることを検知した場合には、携帯電話１００に衝撃が発生することを予測して、あらかじめハードディスクドライブへのアクセスを禁止する。すなわち、ハードディスクドライブのヘッドを、ディスクとヘッドが破損することがない安全な位置に退避させる。
【００１２】
なお、ヘッドとディスクが故障することのない安全な位置とは、ヘッドとディスクが接触することのない位置を意味する。したがって、ヘッドをヘッドとディスクが故障することのない安全な位置に移動するに当たっては、ヘッドをディスクに対して水平方向に移動させることによって、ディスクの領域外に退避するようにしてもよく、あるいはヘッドをディスクに対して垂直方向に移動させて、ディスクとの距離を離すように退避してもよい。
【００１３】
これによって、使用者による開閉動作に伴って携帯電話１００に衝撃が発生する時点においては、すでにヘッドがディスクと接触して破損することがない位置に退避されている状態になっており、衝撃からハードディスクドライブを保護して、ハードディスクドライブの故障を防止することができる。
【００１４】
図２は、本実施の形態における携帯電話１００の一実施の形態の構成を示すブロック図である。携帯電話１００は、カメラ１０１と、開状態検出スイッチ１０２と、閉状態検出スイッチ１０３と、ＣＰＵ１０４と、ＨＤＤ１０５と、通信装置１０６と、キーボード１０７と、ＬＣＤ１０８とを備えている。
【００１５】
カメラ１０１は、レンズとＣＣＤなどの撮像素子とで構成され、レンズを通して入力される被写体像を撮像して、撮像した画像データをＣＰＵ１０４へ出力する。開状態検出スイッチ１０２および閉状態検出スイッチ１０３は、後述するようにそれぞれのスイッチがＯＮされたときに、その信号をＣＰＵ１０４へ出力する。通信装置１０６は、アンテナ１０６ａを備え、携帯電話の基地局と通信する。また、キーボード１０７は、キーボード側本体１ａ上に配置された入力装置であり、ＬＣＤ１０８は、ＬＣＤ側本体１ｂ上に配置された表示装置である。
【００１６】
ＣＰＵ１０４は、カメラ１０１から入力される画像データをＨＤＤ１０５へ書き込む。このとき、以下に説明する開状態検出スイッチ１０２および閉状態検出スイッチ１０３からの入力信号を検出して、ＨＤＤ１０５へのアクセスを制御する。
【００１７】
開状態検出スイッチ１０２は、回転ヒンジ部１ｃ内に内蔵され、回転ヒンジ部１ｃの回転状態を検知して、キーボード側本体１ａとＬＣＤ側本体１ｂとが開いている状態（開状態）、すなわち携帯電話１００の開状態を検出するためのスイッチである。図３は、開状態検出スイッチ１０２の具体例を示す図である。この図３に示すように、開状態検出スイッチ１０２は、回転ヒンジ部１ｃ内のキーボード側本体１ａに設置されている電極２ａと、回転ヒンジ部１ｃ内のＬＣＤ側本体１ｂに設置されている接片２ｂとで構成されている。この電極２ａと接片２ｂとは、携帯電話１００が開状態であるときに接触するように配置されており、両者が接触している間は、開状態検出スイッチ１０２はＯＮとなり、ＣＰＵ１０４に信号を出力する。
【００１８】
なお、電極２ａは、携帯電話１００が開状態から閉じる方向へ変化を始めても、閉じ角が所定角度Δθとなるまでの間は、電極２ａと接片２ｂとの接触が保たれるような幅２ｄを有している。すなわち、携帯電話１００が開状態からΔθ閉じるまでの間は、開状態検出スイッチ１０２がＯＮの状態を保つように設計されている。換言すれば、携帯電話１００が閉状態から開状態へ変化するときには、開き角が開状態となるΔθ手前になった時点で、開状態検出スイッチ１０２がＯＮされるように設計されている。
【００１９】
閉状態検出スイッチ１０３は、キーボード側本体１ａとＬＣＤ側本体１ｂとが閉じている状態（閉状態）、すなわち携帯電話１００の閉状態を検出するためのスイッチである。この閉状態検出スイッチ１０３は、キーボード側本体１ａに設置されたスイッチであり、携帯電話１００が閉状態となり、キーボード側本体１ａとＬＣＤ側本体１ｂとが折り畳まれたときに、図１に示すＬＣＤ側本体１ｂに設けられた閉状態検出用凸部１ｄにより押下されることによりＯＮされる。
【００２０】
なお、閉状態検出用凸部１ｄの長さは、携帯電話１００が閉状態から開状態への変化を始めても、閉じ角が所定角度Δθとなるまでの間は、閉状態検出スイッチ１０３がＯＮの状態を保つように設計されている。換言すれば、携帯電話１００が開状態から閉状態へ変化するときには、開き角が閉状態となるΔθ手前になった時点で、閉状態検出スイッチ１０３がＯＮされるように設計されている。
【００２１】
図４は、携帯電話１００の開き角（閉じ角）と、開状態検出スイッチ１０２、および閉状態検出スイッチ１０３のＯＮ／ＯＦＦ状態との関係を模式的に示した図である。携帯電話１００の開き角が範囲３ａ内にあるときには、開状態検出スイッチ１０２はＯＮとなり、閉状態検出スイッチ１０３はＯＦＦとなる。一方、携帯電話１００の開き角が範囲３ｂ内にあるときには、開状態検出スイッチ１０２はＯＦＦとなり、閉状態検出スイッチ１０３はＯＮとなる。また、携帯電話１００の開き角が範囲３ｃ内にあるときには、開状態検出スイッチ１０２、閉状態検出スイッチ１０３ともにＯＦＦとなる。
【００２２】
ＣＰＵ１０４は、開状態検出スイッチ１０２、および閉状態検出スイッチ１０３のそれぞれからの入力信号を監視し、その入力信号に基づいて、ＨＤＤ１０５のヘッドを制御する。すなわち、ＣＰＵ１０４は、開状態検出スイッチ１０２、および閉状態検出スイッチ１０３のいずれか一方の入力信号がＯＮである場合には、ＨＤＤ１０５のヘッドをディスクへのデータ書き込みおよび読込みが可能な位置に配置するように制御する。
【００２３】
データ書き込み可能な位置とは、実際に書き込むデータがある場合に、すぐにデータを書き込むことのできるようなヘッドの待機位置を意味する。データ読み出し可能な位置とは、実際に読み出すデータがある場合に、すぐにデータを読み出すことのできるようなヘッドの待機位置を意味する。すなわち、ＣＰＵ１０４は、カメラ１０１から入力される画像データのＨＤＤ１０５への書き込みまたは読み出しを許可する。
【００２４】
これに対して、ＣＰＵ１０４は、開状態検出スイッチ１０２、閉状態検出スイッチ１０３のいずれいか一方の入力信号が、ＯＮからＯＦＦに変化したことを検出した場合には、使用者による携帯電話１００の開動作、または閉動作が行われたと判断する。そしてこの場合には、動作が完了して開状態、または閉状態になった瞬間に携帯電話１００に衝撃が発生することが予測されることから、ＨＤＤ１０５のデータの書き込みおよび読み出しを禁止し、ＨＤＤ１０５のヘッドを衝撃の発生に起因してヘッドとディスクが故障することのない安全な位置に退避する。
【００２５】
なお、上述したように、開状態検出スイッチ１０２は、携帯電話１００が開状態からΔθ閉じるまでの間はＯＮの状態を保つため、ＣＰＵ１０４は、携帯電話１００が開状態から所定量閉じたときに使用者による閉動作を検出することになる。また、閉状態検出スイッチ１０３は、携帯電話１００が閉状態からΔθ開くまでの間はＯＮの状態を保つため、ＣＰＵ１０４は、携帯電話１００が閉状態から所定量開いたときに使用者による開動作を検出することになる。これによって、使用者によって一時的に開方向または閉方向に力が加えられ、携帯電話１００の開き角が微妙に変化した場合に、その変化を使用者による開動作、または閉動作として誤検出することを防ぐことができる。
【００２６】
ＣＰＵ１０４は、使用者による携帯電話１００の開動作を検出してＨＤＤ１０５のデータの書き込みおよび読み出しを禁止した後、開状態検出スイッチ１０２または閉状態検出スイッチ１０３からの入力信号に基づいて、携帯電話１００が完全に開状態または閉状態となったと判断した場合には、ＨＤＤ１０５のデータの書き込みおよび読み出しを許可する。すなわち、ＣＰＵ１０４は、ＨＤＤ１０５のヘッドをディスク上のデータ書き込みおよび読み出し可能な位置に戻して、ＨＤＤ１０５へのデータの書き込みや読み出しを再開する。
【００２７】
ＣＰＵ１０４は、使用者による携帯電話１００の閉動作を検出してＨＤＤ１０５のデータ書き込みおよび読み出しを禁止した後、開状態検出スイッチ１０２または閉状態検出スイッチ１０３からの入力信号に基づいて、携帯電話１００が完全に開状態または閉状態となったと判断した場合は、ＨＤＤ１０５のヘッドをディスク上のデータ書き込みおよび読み出し可能な位置に戻して、ＨＤＤ１０５へのデータの書き込みや読み出しを再開する。
【００２８】
このとき、上述したように、開状態検出スイッチ１０２は、携帯電話１００が閉状態から開状態へ変化するときには、開き角が完全に開状態となるΔθ手前になった時点でＯＮとなる。したがって、ＣＰＵ１０４は、開状態検出スイッチ１０２がＯＦＦからＯＮに変化したことを検出してすぐにＨＤＤ１０５のヘッドをデータ書き込みおよび読み出し可能な位置に移動した場合には、ＨＤＤ１０５のデータ書き込みおよび読み出しの許可をした直後に使用者による開動作に伴う衝撃が発生することとなり、ハードディスクを衝撃から保護することができない。
【００２９】
これを回避するために、ＣＰＵ１０４は、開状態検出スイッチ１０２がＯＦＦからＯＮに変化したことを検出した場合には、検出後、携帯電話１００が開状態になるために必要な所定時間を経過した後にＨＤＤ１０５のヘッドをデータ書き込みおよび読み出し可能な位置に移動するようにする。これによって、ＣＰＵ１０４は、開状態検出スイッチ１０２がＯＦＦからＯＮに変化したことを検出した場合には、携帯電話１００が開状態になるのを待つ時間があるため、使用者による開動作に伴って発生する衝撃からＨＤＤ１０５を保護することができる。
【００３０】
また、閉状態検出スイッチ１０３も同様に、携帯電話１００が開状態から閉状態へ変化するときには、開き角が閉状態となるΔθ手前になった時点でＯＮとなる。したがって、ＣＰＵ１０４は、閉状態検出スイッチ１０３がＯＦＦからＯＮに変化したことを検出した場合には、検出後、携帯電話１００が閉状態になるために必要な所定時間を経過した後にＨＤＤ１０５のヘッドをデータ書き込みおよび読み出し可能な位置に配置するようにする。
【００３１】
これによって、ＣＰＵ１０４は、閉状態検出スイッチ１０３がＯＦＦからＯＮに変化したことを検出した場合には、携帯電話１００が閉状態になるのを待つ時間があるため、使用者による閉動作に伴って発生する衝撃からＨＤＤ１０５を保護することができる。
【００３２】
図５は、本実施の形態における携帯電話１００の処理を示すフローチャートである。図５に示す処理は、ＨＤＤ１０５のデータ書き込みタイミングにおいて起動するプログラムであり、ＣＰＵ１０４により実行される。データ書き込みタイミングの例としては、カメラ１０１の撮像によって得られた画像データがＨＤＤ１０５に書き込まれるタイミングがある。この場合、ＣＰＵ１０４は、カメラ１０１に対して撮像の制御を行った後に、画像データをＨＤＤ１０５に書き込む制御を行う。この画像データをＨＤＤ１０５に書き込む段階でＣＰＵ１０４は図５のプログラムを実行する。
【００３３】
ステップＳ１０において、開状態検出スイッチ１０２がＯＮであるか否かを判断する。開状態検出スイッチ１０２がＯＮであると判断した場合には、携帯電話１００は開状態であると判定してステップＳ６２へ進む。これに対して、開状態検出スイッチ１０２がＯＦＦであると判断した場合にはステップＳ２０へ進む。
【００３４】
ステップＳ２０では、閉状態検出スイッチ１０３がＯＮであるか否かを判断する。閉状態検出スイッチ１０３がＯＮであると判断した場合には、携帯電話１００は閉状態であると判定してステップＳ６２へ進む。これに対して、閉状態検出スイッチ１０３がＯＦＦであると判断した場合には、ステップＳ３０へ進む。ステップＳ３０では、使用者による開動作、または閉動作による衝撃が発生すると予測して、ＨＤＤ１０５のデータ書き込み処理を禁止する。その後、ステップＳ３５へ進む。
【００３５】
ステップＳ３５では、ＨＤＤ１０５にヘッド退避コマンドを出力する。ＨＤＤ１０５は、ヘッド退避コマンドを受信すると、ディスクとヘッドが破損することがない安全な位置にヘッドを退避させ、その位置にヘッドを維持する。そしてステップＳ４０へ進む。
【００３６】
ステップＳ４０では、再度、閉状態検出スイッチ１０３がＯＮであるか否かを判断する。閉状態検出スイッチ１０３がＯＮであると判断した場合には、携帯電話１００は閉状態に変化したと判定して、後述するステップＳ６０へ進む。一方、閉状態検出スイッチ１０３がＯＦＦであると判断した場合には、ステップＳ５０へ進む。
【００３７】
ステップＳ５０では、開状態検出スイッチ１０２がＯＮであるか否かを判断する。開状態検出スイッチ１０２がＯＮであると判断した場合には、携帯電話１００は開状態に変化したと判定して、ステップＳ６０へ進む。これに対して、開状態検出スイッチ１０２がＯＦＦであると判断した場合には、携帯電話１００は開状態でも閉状態でもない開き角が図４に示す範囲３ｃに含まれる状態であると判定して、ステップＳ４０へ戻る。
【００３８】
ステップＳ６０では、携帯電話１００は開状態または閉状態に変化したことから、上述したように、所定時間を経過したか否かを判定し、所定時間経過した場合には、ステップＳ６２へ進む。
【００３９】
ステップＳ６２では、ＨＤＤ１０５がヘッド退避状態であるか否かを判断する。ステップＳ６２において、ＹＥＳ、すなわちＨＤＤ１０５のヘッドが退避状態であると判断されると、ステップＳ６６へ進む。ステップＳ６６では、ＨＤＤ１０５にヘッド退避解除コマンドを出力して、ステップＳ７０へ進む。ＨＤＤ１０５は、ヘッド退避解除コマンドを受信すると、ヘッドをデータ書き込み可能な位置に移動する。
【００４０】
一方、ステップＳ６２において、 ＮＯ、すなわちＨＤＤ１０５のヘッドがデータ書き込み可能な位置に配置されていると判断されると、ステップＳ６６をスキップしてステップＳ７０へ進む。
【００４１】
ステップＳ８０では、ＨＤＤ１０５のデータの書き込み処理が終了したか否かを判断する。データ書き込み処理が終了していないと判断した場合には、ステップＳ１０へ戻って処理を繰り返す。これに対して、データ書き込み処理が終了したと判断した場合には、処理を終了する。
【００４２】
以上までの処理は、ＨＤＤ１０５のデータ書き込みタイミングにおけるＣＰＵ１０４の制御について説明したが、ＨＤＤ１０５の読み出しタイミングにおいてもＣＰＵ１０４は同様の処理をすればよい。データ読み出しタイミングの例としては、ＣＰＵ１０４が、ＨＤＤ１０５に記憶されている画像データを読み出すタイミングである。
【００４３】
ユーザが撮像済みの画像を表示するためにキーボード１０７に対して所定の操作をすると、キーボード１０７はＣＰＵ１０４に画像表示要求信号を出力する。ＣＰＵ１０４は、画像表示要求信号に基づいてＨＤＤ１０５を制御して、記録されている画像データを読み出す。そして、ＣＰＵ１０４は、読み出した画像データをＬＣＤ１０８に表示する。上述したＣＰＵ１０４が画像表示要求信号を受信したタイミングが、データ読み出しタイミングに相当する。そして画像表示要求信号を受信した後に、ＣＰＵ１０４は図５と同様のプログラムを実行する。
【００４４】
なお、読み出しタイミングにおける処理は、図５のフローチャートのステップＳ７０とステップＳ８０中の「データ書き込み」を「データ読み出し」に読み替えればよい。他のステップについては、ＣＰＵ１０４によって同じ処理が実行されるので、詳しい説明は省略する。
【００４５】
以上説明した本実施の形態によれば、以下のような作用効果を得ることができる。
（１）使用者による携帯電話１００の開閉動作の検出し、開閉動作に伴って携帯電話１００に衝撃が発生することを予測した場合には、ＨＤＤ１０５のデータ書き込みや読み出しを禁止して、衝撃の発生に起因してヘッドとディスクが故障することのない安全な位置にヘッドを退避するようにした。これによって、使用者による携帯電話１００の開閉動作によって発生する衝撃からＨＤＤ１０５を保護することができる。
【００４６】
（２）開状態検出スイッチ１０２は携帯電話１００が開状態からΔθ閉じるまでの間はＯＮの状態を保つようにした。また、閉状態検出スイッチ１０３は携帯電話１００が閉状態からΔθ開くまでの間はＯＮの状態を保つようにした。これによって、使用者によって一時的に開方向または閉方向に力が加えられ、携帯電話１００の開き角が微妙に変化した場合に、その変化を使用者による開動作、または閉動作として誤検出することを防ぐことができる。
【００４７】
（３）使用者による携帯電話１００の開動作、または閉動作を検出してハードディスクのヘッドを退避させた後、開状態検出スイッチ１０２、および閉状態検出スイッチ１０３からの入力信号に基づいて、携帯電話１００が開状態または閉状態となったことを検出した場合には、ＨＤＤ１０５のヘッドを書き込みおよび読み出し可能な位置に移動するようにした。これによって、携帯電話１００に衝撃が発生する危険性が低い状態に戻ったときには、ＨＤＤ１０５のデータの書き込みや読み出しを自動的に再開することができる。
【００４８】
（４）開状態検出スイッチ１０２がＯＦＦからＯＮに変化したことを検出した場合には、検出後、所定時間を経過した後にＨＤＤ１０５のヘッドを書き込みおよび読み出し可能な位置に移動するようにした。これによって、開状態検出スイッチ１０２がＯＦＦからＯＮに変化したことを検出した場合には、携帯電話１００が開状態または閉状態になるのを待ってからＨＤＤ１０５のヘッドを書き込みおよび読み出し可能な位置に配置することができ、使用者による開閉動作に伴って発生する衝撃からＨＤＤ１０５を保護することができる。
【００４９】
―変形例―
なお、上述した実施の形態の携帯通信端末は、以下のように変形することもできる。
（１）上述した実施の形態では、携帯電話１００は、開閉機構として回転ヒンジ部１ｃを備え、当該回転ヒンジ部１ｃを軸として折り畳み可能な折り畳み型携帯電話である例について説明した。すなわち開閉機構により接続された第１の本体部と第２の本体部とを揺動して開閉する携帯電話である例について説明した。しかしこれに限定されず、例えば図６に示すように、キーボード側本体１ａとＬＣＤ側本体１ｂとをスライドして開閉するスライド機構を開閉機構として備えるスライド型携帯電話であってもよい。また、図７に示すように、キーボード側本体１ａとＬＣＤ側本体１ｂとを回転軸７ａを軸として回転させて開閉する回転機構を開閉機構として備える回転型携帯電話であってもよい。なお、図６に示すスライド型携帯電話の場合には、携帯電話の開閉状態を検出するためのスイッチをスライド機構内に設けるようにすればよい。図７に示す回転型携帯電話の場合には、携帯電話の開閉状態を検出するためのスイッチを回転軸機構内に設けるようにすればよい。
【００５０】
（２）上述した実施の形態では、閉状態検出スイッチ１０３として、キーボード側本体１ａに設置されたスイッチを設ける例について説明した。しかしこれに限定されず、開状態検出スイッチ１０２と同様に、回転ヒンジ部１ｃ内に閉状態検出用の電極を内蔵することによって、携帯電話１００の閉状態を検出するようにしてもよい。
【００５１】
（３）上述した実施の形態では、携帯電話１００の使用者による開閉動作を検出するために、開状態検出スイッチ１０２と閉状態検出スイッチ１０３とを設け、それぞれのスイッチからの入力信号の変化を検出する例について説明した。しかしこれに限定されず、例えば図８に示すように、回転ヒンジ部１ｃの反対側のＬＣＤ側本体１ｂの端部に加速度センサ８ａを内蔵し、当該加速度センサ８ａによって加速度が検出されたときに、使用者による開閉動作が行われたことを検出するようにしてもよい。
【００５２】
なお、加速度センサ８ａを回転ヒンジ部１ｃの反対側のＬＣＤ側本体１ｂの端部に内蔵するのは、折り畳み型の携帯電話においては、使用者はキーボード側本体１ａを固定した状態で回転ヒンジ部１ｃを軸としてＬＣＤ側本体１ｂを開閉するのが一般的だからである。すなわち、回転ヒンジ部１ｃを中心としたＬＣＤ側本体１ｂの開閉時の周速は、回転ヒンジ部１ｃから離れた位置ほど大きくなることから、加速度センサ８ａを回転ヒンジ部１ｃの反対側のＬＣＤ側本体１ｂの端部に内蔵すれば、加速度センサ８ａによる開閉動作の検出精度を向上することができるためである。したがって、加速度センサ８ａは、回転ヒンジ部１ｃを中心としたＬＣＤ側本体１ｂの開閉時の周速が所定値以上となる位置に内蔵（配置）することが好ましい。ここで、加速度センサ８ａは、回転ヒンジ部１ｃの反対側のキーボード側本体１ａの端部に内蔵するようにしてもよい。
【００５３】
また、変形例（１）で上述したスライド型携帯電話、または回転型携帯電話にも加速度センサ８ａを搭載して、使用者による開閉動作を検出してもよい。スライド型携帯電話に加速度センサ８ａを搭載する場合には、ＬＣＤ側本体１ｂに加速度センサ８ａを内蔵すればよい。回転型携帯電話に加速度センサ８ａを搭載する場合には、折り畳み型の携帯電話と同様に、回転軸７ａの反対側のＬＣＤ側本体１ｂの端部に加速度センサ８ａを内蔵すればよい。また、回転軸７ａの反対側のキーボード側本体１ａの端部に加速度センサ８ａを内蔵することにしてもよい。
【００５４】
（４）上述した実施の形態では、使用者による携帯電話１００の開閉動作が行われることを検知し、携帯電話１００に衝撃が発生することを予測した場合には、ＨＤＤ１０５のヘッドを退避させることにした。これに加えて、ＨＤＤ１０５のヘッドを退避している期間は、書き込むべき画像データを、通信装置１０６を介した無線通信により外部のサーバーへ転送して保存するようにしてもよい。すなわち、ＨＤＤ１０５のデータの書き込みが禁止された場合には、画像データの記憶先をＨＤＤ１０５から通信装置１０６を介した無線通信により接続可能な外部のサーバーへ切り替えてもよい。
【００５５】
（５）上述した実施の形態では、ＨＤＤ１０５のデータ書き込みタイミングがデータ読み出しタイミングにおいて、図５のプログラムを実行することとしたが、これに限られない。すなわち、携帯電話１００の電源が入っているときには、ＣＰＵ１０４は常時、開状態検出スイッチ１０２と閉状態検出スイッチ１０３との状態を監視する構成にして、使用者による開閉動作を検出する構成にしてもよい。そして、使用者による開閉動作が検出された場合は、ＣＰＵ１０４はＨＤＤ１０５のヘッドを退避させるようにする。具体的には、図５のフローチャートの処理からステップＳ７０とステップＳ８０の処理を省略し、ステップＳ６６の処理が終了した後は、ステップＳ１０へ戻るようなプログラムを常時実行するようにしておけばよい。この場合、ステップＳ３０の処理は、データの書き込み処理および読み出し処理を禁止する処理とすればよい。
【００５６】
（６）上述した実施の形態では、ＨＤＤ１０５へカメラ１０１で撮像した画像データを記憶する例について説明した。しかしこれに限定されず、通信装置１０６を介してダウンロードしたデータや、使用者によって入力されたデータをＨＤＤ１０５へ記憶する場合にも本発明は適用可能である。
【００５７】
（７）上述した実施の形態では、携帯通信端末を携帯電話に適用した例について説明したが、これに限定されず、ＰＤＡなどの他の通信機能を備える携帯機器に適用することも可能である。
【００５８】
なお、本発明の特徴的な機能を損なわない限り、本発明は、上述した実施の形態における構成に何ら限定されない。
【図面の簡単な説明】
【００５９】
【図１】携帯通信端末を折り畳み型携帯電話に適用した場合の構成を模式的に示した図である。
【図２】携帯電話１００の一実施の形態の構成を示すブロック図である。
【図３】開状態検出スイッチ１０２の具体例を示す図である。
【図４】携帯電話１００の開き角（閉じ角）と、開状態検出スイッチ１０２、および閉状態検出スイッチ１０３のＯＮ／ＯＦＦ状態との関係を模式的に示した図である。
【図５】携帯電話１００の処理を示すフローチャート図である。
【図６】スライド型携帯電話の具体例を模式的に示す図である。
【図７】回転型携帯電話の具体例を模式的に示す図である。
【図８】携帯電話への加速度センサの搭載例を示す図である。
【符号の説明】
【００６０】
１００  携帯電話、１０１  カメラ、１０２  開状態検出スイッチ、１０３  閉状態検出スイッチ、１０４  ＣＰＵ、１０５  ＨＤＤ、１０６  通信装置、１０６ａ  アンテナ、１０７  キーボード、１０８  ＬＣＤ
【図１】
2007181188.tif 000003
【図２】
2007181188.tif 000004
【図３】
2007181188.tif 000005
【図４】
2007181188.tif 000006
【図５】
2007181188.tif 000007
【図６】
2007181188.tif 000008
【図７】
2007181188.tif 000009
【図８】
2007181188.tif 000010